(57)【要約】      （修正有）【課題】クレジットカード等の不正使用を早期に発見し、セキュリティを高めたカード不正使用防止システムを提供する。【解決手段】カード情報及びカード利用情報を読み込むカード認証端末１と、上記カード認証端末１に信販会社等の認証用コンピュータ２と、上記認証用コンピュータ２に接続せしめたユーザー情報管理データベース３とセキュリティコンピュータ４と、電子メール送受信機８と、カード不正使用防止システムの利用を希望するユーザーの電子メールアドレス情報を有するデータベース５及び電子メールサーバ７とより成り、上記電子メール送受信機８が受信したカード利用状況に応じて、カード利用の許可・不許可情報を記載した電子メールを、上記電子メール送受信機８から上記セキュリティコンピュータ４の上記電子メールサーバ７に返信し、上記許可・不許可情報を上記認証用コンピュータ２に通知する。【選択図】図１
2007102602.tif 000002
【特許請求の範囲】
【請求項１】
カード情報及びカード利用情報を読み込むカード認証端末と、上記カード認証端末に通信手段を介して接続せしめた信販会社等の認証用コンピュータと、上記認証用コンピュータに接続せしめたユーザー情報データベースと、上記認証用コンピュータに通信手段を介して接続せしめたセキュリティ用コンピュータと、電子メール受信機と、上記セキュリティ用コンピュータに接続した、カード不正使用防止システムの利用を希望するユーザーの電子メールアドレス情報を有するデータベース及び電子メールサーバとより成り、上記電子メールサーバから上記カード認証端末により読み込まれたカード利用状況を記載した電子メールを上記電子メール受信機に送信せしめ、上記電子メール受信機が受信したカード利用状況に応じて、カード利用の許可・不許可情報を記載した電子メールを、上記電子メール受信機から上記セキュリティ用コンピュータの上記電子メールサーバに返信し、上記許可・不許可情報を上記認証用コンピュータに通知することを特徴とするカード不正使用防止システム。
【請求項２】
上記電子メールサーバーを介して上記セキュリティ用コンピュータが上記電子メール受信機から電子メールを受信したとき上記電子メール受信機にアンサーバックの電子メールを送信することを特徴とする請求項１記載のカード不正使用防止システム。
【発明の詳細な説明】
【技術分野】
【０００１】
本発明はカード不正使用防止システム、特にクレジットカードやキャッシュカードなどのカードの不正使用を防止するためのシステムに関するものである。
【背景技術】
【０００２】
従来、ユーザーが店舗やＡＴＭでクレジットカードやキャッシュカードを用いる場合、店舗等はそのカードの有効性などの情報を確認するため、カードリーダなどのカード認証端末は上記カードに記憶したカード情報やカード利用情報等を読み込み、上記情報を通信手段を用いて、カードの信販会社や銀行に設置した認証用コンピュータに送信し、上記認証用コンピュータは上記情報と上記認証用コンピュータに接続したユーザー情報管理データベースに蓄積した内容とを照合して、上記カードの利用許可・不許可を判断し、その結果を通信手段を用いて、上記カード認証端末に送信し、カードが利用許可であれば取引の処理がなされ、利用不許可であればカードでの取引が中止される。
【０００３】
上記取引の処理がなされた場合には、その後、上記信販会社等から例えば１ヶ月毎にユーザーに送られてくるカード利用明細に上記取引の結果が記載される。このような従来のカード式取引処理システムとしては、例えば、特許文献１がある。
【特許文献１】特開平６−４４４１４号公報
【発明の開示】
【発明が解決しようとする課題】
【０００４】
然しながら、上記従来のカード式取引処理システムにおいては、カードを紛失したり、盗まれて他人に利用された場合、カード会社から送られてくるカード利用明細を見るまで、ユーザーは他人にカードを使用された事に気が付かず、被害を大きくしてしまうという欠点があった。
【０００５】
本発明は上記の欠点を除くようにしたものである。
【課題を解決するための手段】
【０００６】
本発明のカード不正使用防止システムは、カード情報及びカード利用情報を読み込むカード認証端末と、上記カード認証端末に通信手段を介して接続せしめた信販会社等の認証用コンピュータと、上記認証用コンピュータに接続せしめたユーザー情報データベースと、上記認証用コンピュータに通信手段を介して接続せしめたセキュリティ用コンピュータと、電子メール受信機と、上記セキュリティ用コンピュータに接続した、カード不正使用防止システムの利用を希望するユーザーの電子メールアドレス情報を有するデータベース及び電子メールサーバとより成り、上記電子メールサーバから上記カード認証端末により読み込まれたカード利用状況を記載した電子メールを上記電子メール受信機に送信せしめ、上記電子メール受信機が受信したカード利用状況に応じて、カード利用の許可・不許可情報を記載した電子メールを、上記電子メール受信機から上記セキュリティ用コンピュータの上記電子メールサーバに返信し、上記許可・不許可情報を上記認証用コンピュータに通知することを特徴とする。
【０００７】
また、本発明のカード不正使用防止システムにおいては、上記電子メールサーバーを介して上記セキュリティ用コンピュータが上記電子メール受信機から電子メールを受信したとき上記電子メール受信機にアンサーバックの電子メールを送信することを特徴とする。
【発明の効果】
【０００８】
本発明のカード不正使用防止システムにおいては、カードの不正使用を早期に発見できるという大きな利益がある。また、認証用コンピュータとセキュリティ用コンピュータを独立して設けたので、セキュリティを高めることができる。
【発明を実施するための最良の形態】
【０００９】
以下図面によって本発明の実施例を説明する。
【実施例１】
【００１０】
本発明のカード不正使用防止システムは図１に示すように、店舗、ＡＴＭ、Ｗｅｂ等に設置したカードリーダ等のカード認証端末１と、上記カード認証端末１と電話回線やインターネット等の通信手段を介して接続せしめた信販会社、銀行等の認証用コンピュータ２と、上記認証用コンピュータ２に接続せしめた、ユーザーの氏名や住所、利用限度額等のユーザー情報を蓄積したカードユーザー情報管理データベース３と、上記認証用コンピュータ２と通信手段を介して接続せしめた、上記認証用コンピュータ２とは独立して設けたセキュリティコンピュータ４と、ユーザーの携帯電話やパソコン等の電子メール送受信機８と、上記セキュリティコンピュータ４に接続せしめた、上記ユーザーのうち、カード不正使用防止システムの利用を希望するユーザの電子メールアドレスの情報を蓄積したデータベース５と、Ｗｅｂサーバ６と、電子メールサーバ７とよりなる。
【００１１】
ユーザーが店舗等でクレジットカード等を使用すれば、図２に示すように、上記店舗等はそのカードの有効性などの情報を確認するため、上記カード認証端末１は上記カードに記憶された情報とカード利用状況等を読み込み、上記情報を通信手段を介して、カード会社に設置した上記認証用コンピュータ２に送信し、上記認証用コンピュータ２は上記情報と上記認証用コンピュータ２に接続した管理データベース３に蓄積したユーザー情報とを照合して、上記カードの利用の許可・不許可を判断する。
【００１２】
また、上記認証用コンピュータ２は上記ユーザー情報とカード利用状況とを上記セキュリティコンピュータ４に通知し、上記利用状況を記載した電子メールを上記セキュリティコンピュータ４の上記電子メールサーバ７からユーザーの電子メール送受信機８に送信せしめる。
【００１３】
ユーザーは上記利用状況を記載した電子メールの受信後、利用状況に関して問題がないと判断した時には、カード利用の許可の旨の電子メールを上記電子メールサーバ７に返信し、上記利用許可情報は上記信販会社等の認証用コンピュータ２に通知され、上記認証用コンピュータ２はその情報を上記通信手段を介してカード認証端末１に送信せしめる。
【００１４】
また、ユーザーが利用状況に関して問題があると判断した場合には、カード利用の不許可の旨の電子メールを上記電子メールサーバ７に返信し、上記利用不許可情報は上記信販会社等の認証用コンピュータ２に通知され、上記認証用コンピュータ２はその情報を上記通信手段を介してカード認証端末１に送信せしめ、カードの使用を停止せしめる。
【００１５】
なお、この際、上記電子メールサーバ７から上記電子メール受信機８にアンサーバックの電子メールを送信するようにしてもよい。
【００１６】
本発明のカード不正使用防止システムによれば、カードの不正使用を早期に発見できるという大きな利益がある。
【００１７】
また、メールサーバ７に接続したセキュリティコンピュータ４を信販会社等の認証用コンピュータ２と独立せしめたので、信販会社の認証用コンピュータのセキュリティを高めることができる。
【００１８】
なお、利用状況を記載した電子メールをユーザーの電子メール送受信機８に送信するのみで、カード利用の許可・不許可情報をユーザーが電話等で直接信販会社等にその旨の連絡するようにしてもよい。
【００１９】
また、利用状況に関して問題がある場合にのみ、カード利用の不許可情報を上記電子メールサーバ７に返信せしめ、上記認証用コンピュータ２を介して上記カード認証端末１に通知せしめるように設定してもよく、上記電子メールサーバ７が不許可情報の電子メールを受信しない限り、上記認証用コンピュータ２の利用の許可・不許可の判断のみでカードの利用をできるようにしてもよい。
【００２０】
また、利用金額が高額な場合のみにカードの利用の許可・不許可情報を上記電子メールサーバ７に返信するように設定するなど、利用状況に応じて、カードの利用の許可・不許可情報を上記電子メールサーバ７に返信するように設定してもよい。
【００２１】
なお、ユーザーが上記電子メール送受信機８を利用して上記セキュリティコンピュータ４のデータベース５に登録された電子メールアドレスなどの情報の確認や、上記登録情報の変更ができたり、電子メールの通知の開始・停止などを設定できるようにしてもよい。
【００２２】
また、上記登録情報や利用明細をＷｅｂ上で確認できるようにしてもよい。
【図面の簡単な説明】
【００２３】
【図１】本発明のカード不正使用防止システムの説明図である。
【図２】本発明のカード不正使用防止システムの説明図である。
【符号の説明】
【００２４】
１  カード認証端末
２  認証用コンピュータ
３  管理データベース
４  セキュリティコンピュータ
５  データベース
６  Ｗｅｂサーバー
７  電子メールサーバー
８  電子メール送受信機
【図１】
2007102602.tif 000003
【図２】
2007102602.tif 000004